(57)【要約】【課題】表示装置の視野角を拡大させつつ、視野角内の輝度変化や色変化を高角度側に向けて均一的に変化させることで良好な視認性を確保できる光学構造体を提供する。【解決手段】光学構造体は、高屈折率層と低屈折率層とを備え、高屈折率層は、シート状の高屈折率層及び低屈折率層の主面に平行な第１方向に並び、低屈折率層側に凸となる複数の凸部を有する。凸部は、第１凸部と第２凸部とを有し、第１方向の一方側を向く第１凸部の側面は曲面をなし、他方側を向く第１凸部の側面は、平面をなす。第１方向の他方側を向く第２凸部の側面は曲面をなし、一方側を向く第２凸部の側面は、平面をなす。そして、第１凸部と第２凸部は、高屈折率層及び低屈折率層の法線方向と平行な軸を対称軸として、線対称になっている。また、高屈折率層が表示装置の表示面側に向けられるように配置される。【選択図】図３
2020013067.tif 000002
【特許請求の範囲】
【請求項１】
表示装置の表示面上に配置される光学構造体であって、
高屈折率層と、
前記高屈折率層に積層され、且つ屈折率が前記高屈折率層よりも低い低屈折率層と、を備え、
前記高屈折率層は、シート状の前記高屈折率層及び前記低屈折率層の主面に平行な第１方向に並び、前記低屈折率層側に凸となる複数の凸部を有し、
前記低屈折率層は、複数の前記凸部の間に入り込むようにして前記高屈折率層に積層され、
前記凸部は、第１凸部と第２凸部とを有し、
前記第１方向の一方側を向く前記第１凸部の側面は曲面又は折れ面をなし、前記第１方向の他方側を向く前記第１凸部の側面は、前記第１方向の一方側を向く前記第１凸部の側面とは異なる形状をなし、
前記第１方向の他方側を向く前記第２凸部の側面は曲面又は折れ面をなし、前記第１方向の一方側を向く前記第２凸部の側面は、前記第１方向の他方側を向く前記第２凸部の側面とは異なる形状をなし、
前記第１方向と前記高屈折率層及び前記低屈折率層の法線方向とを含む面における断面で見た際、前記第１凸部と前記第２凸部は、前記高屈折率層及び前記低屈折率層の法線方向と平行な軸を対称軸として、線対称になっており、
前記高屈折率層が前記表示装置の表示面側に向けられるように配置される、光学構造体。
【請求項２】
前記第１方向の他方側を向く前記第１凸部の側面、及び、前記第１方向の一方側を向く前記第２凸部の側面は、平面をなす、請求項１に記載の光学構造体。
【請求項３】
前記第１方向の他方側を向く前記第１凸部の側面、及び、前記第１方向の一方側を向く前記第２凸部の側面は、曲面又は折れ面をなし、
前記第１方向の一方側を向く前記第１凸部の側面が前記高屈折率層及び前記低屈折率層の法線方向となす最大角度と最小角度との差は、前記第１方向の他方側を向く前記第１凸部の側面が前記高屈折率層及び前記低屈折率層の法線方向となす最大角度と最小角度との差よりも大きく、
前記第１方向の他方側を向く前記第２凸部の側面が前記高屈折率層及び前記低屈折率層の法線方向となす最大角度と最小角度との差は、前記第１方向の一方側を向く前記第２凸部の側面が前記高屈折率層及び前記低屈折率層の法線方向となす最大角度と最小角度との差よりも大きい、請求項１に記載の光学構造体。
【請求項４】
前記第１方向の一方側を向く前記第１凸部の側面の両端点を結んだ直線及び前記第１方向の他方側を向く前記第２凸部の側面の両端点を結んだ直線が、前記高屈折率層及び前記低屈折率層の法線方向となす各側面の平均斜面角度が、２０度以上３０度以下であり、
前記第１方向の他方側を向く前記第１凸部の側面の両端点を結んだ直線及び前記第１方向の一方側を向く前記第２凸部の側面の両端点を結んだ直線が、前記高屈折率層及び前記低屈折率層の法線方向となす各側面の平均斜面角度が、５度以上１５度以下である、請求項２又は３に記載の光学構造体。
【請求項５】
前記第１方向の一方側を向く前記第１凸部の側面が前記高屈折率層及び前記低屈折率層の法線方向となす最大角度と最小角度との差が、１５度以上３５度以下である、請求項４に記載の光学構造体。
【請求項６】
前記第１方向の一方側を向く前記第１凸部の側面、及び、前記第１方向の他方側を向く前記第２凸部の側面は、前記低屈折率層側に凸なる曲面又は折れ面をなす、請求項１乃至５のいずれかに記載の光学構造体。
【請求項７】
前記第１凸部及び前記第２凸部の先端は、前記第１方向に平行な平面を形成している、請求項１乃至６のいずれかに記載の光学構造体。
【請求項８】
隣り合う前記凸部の間に入り込んだ前記低屈折率層の先端は、前記第１方向に平行な平面を形成している、請求項１乃至７のいずれかに記載の光学構造体。
【請求項９】
前記第１凸部及び前記第２凸部は交互に並ぶ、請求項１乃至８のいずれかに記載の光学構造体。
【請求項１０】
請求項１乃至９のいずれかに記載の光学構造体が表示面に配置された、表示装置。
【請求項１１】
前記表示装置は、
前記表示面と、前記表示面に対向して配置された裏面と、を有する液晶パネルと、
前記液晶パネルの裏面に対面して配置された面光源装置と、を有する、請求項１０に記載の表示装置。
【発明の詳細な説明】
【技術分野】
【０００１】
本発明は、表示装置の表示面から出射される光に光学的作用を及ぼす光学構造体に関する。また、本発明は、当該光学構造体を備えた表示装置に関する。
【背景技術】
【０００２】
表示装置の一例である液晶表示装置は、種々の分野で用いられている。液晶表示装置の液晶パネルは、大別すると、ＴＮ（Ｔｗｉｓｔｅｄ Ｎｅｍａｔｉｃ）方式と、ＶＡ（Ｖｅｒｔｉｃａｌ Ａｌｉｇｎｍｅｎｔ）方式と、ＩＰＳ（Ｉｎ−Ｐｌａｎｅ Ｓｗｉｔｃｈｉｎｇ）方式と、に分類される。
【０００３】
液晶表示装置では、波長の異なる複数の光を混ぜ合わせることで色を表現するが、液晶を透過する際の光の角度によっては互いに異なる波長の光の強度に大きな差が生じる場合がある。具体的には例えば、互いに異なる波長の光のうちの一方の波長の光の強度と他方の波長の光の強度との差が、正面視の場合に比べて高角度側で大きく変化する場合がある。このような特性を有する液晶パネルでは、斜めから見た際の色味が正面視の色味に対し大きく変化し得る。
【０００４】
例えばＶＡ方式の液晶パネルでは、液晶分子に対する電圧がオフのときに黒色が表示され、この黒色が正面視において実際の黒色に非常に近くなることで、正面視のコントラスト比を非常に高くすることができる。その一方で、表示面の法線方向に対して傾斜した方向から視認された場合には、正面視で黒色とされた画素から漏れ出る光が比較的多くなることで、正面視の場合に比較してコントラスト比が著しく低下し、また色味が大きく変化する場合があり、その結果、視野角内におけるコントラスト比および色味が大きくばらつく場合がある。例えば赤、緑、青のうちの赤及び緑の光の強度を弱め又は遮断して、青の表示を行う場合に、赤、緑の光が斜めに漏れることで、正面から見た場合と斜めから見た場合との色味が大きく変化する状況が生じ易くなる。
【０００５】
またＶＡ方式の液晶パネルでは、青表示の視認角度に対する発光スペクトル形状変化が（赤表示や緑表示と比較して）強いことにより、具体的には「緑に対応する波長成分の強度」が「青に対応する波長成分の強度」に対して大きくなるような変化によって、斜めから見た際の表示色が正面視に対して黄ばむ傾向がある。
なお、以上に説明したＶＡ方式の液晶パネルで生じ得るような色味の問題は、ＴＮ方式においても生じる場合がある。
【０００６】
上述のようなコントラスト比のばらつき及び色変化の問題に鑑みて、ＶＡ方式の液晶パネルでは、カラーフィルタに複数種のパターンでセルを形成することがある。この手法では、例えばパターンが異なるセルを透過した光の配光特性を互いに異ならせることで、斜めから見た際の色味と正面視の色味との差を抑制することができる。
【０００７】
しかしながら、近年、液晶表示装置の高精細化が急速に進んでおり、所望される高解像度に対応してカラーフィルタ上に上述のような複数種のセルを形成しようとすると、加工に非常に手間がかかったり、所望される解像度によっては加工が不能となったりすることがある。特にＶＡ方式ではＩＰＳ方式などの他の形式よりも一般にセルの区切りを細かくする必要があるため、所望される高解像度を達成しつつ色変化などを効果的に抑制できるようなセル構造を得ることが困難となる場合がある。これに対し、色変化の抑制を液晶パネル側で行うのではなく液晶パネルの表示面に設けられる光学シートによって行う提案も従来からなされている。この種の光学シートは、例えば特許文献１乃至６に開示されている。
【先行技術文献】
【特許文献】
【０００８】
【特許文献１】特開平７−４３７０４号公報
【特許文献２】特許第３２７２８３３号
【特許文献３】特許第３６２１９５９号
【特許文献４】特開２０１６−１２６３５０号公報
【特許文献５】特開２０１２−１４５９４４号公報
【特許文献６】特開２０１１−１１８３９３号公報
【発明の概要】
【発明が解決しようとする課題】
【０００９】
上記光学シートは基本的に、低屈折率層と高屈折率層との間の境界部分の形状及び屈折率差などを調整することで、視野角の拡大及び視野角内の表示品質の向上を図る。しかしながら、従来の光学シートは低屈折率層及び高屈折率層の境界部分の形状が単調であるため、視野角を十分に拡大できなかったり、視野角中の輝度や色味の変化が一定でなく視認性が損なわれたりする場合があった。
【００１０】
本発明は上記の実情を考慮してなされたものであって、視野角を拡大させつつ、視野角内の輝度変化や色変化を高角度側に向けて均一的に変化させることで良好な視認性を確保できる光学構造体およびそれを備えた表示装置を提供することを目的とする。
【課題を解決するための手段】
【００１１】
本発明に係る光学構造体は、表示装置の表示面上に配置される光学構造体であって、高屈折率層と、前記高屈折率層に積層され、且つ屈折率が前記高屈折率層よりも低い低屈折率層と、を備え、前記高屈折率層は、シート状の前記高屈折率層及び前記低屈折率層の主面に平行な第１方向に並び、前記低屈折率層側に凸となる複数の凸部を有し、前記低屈折率層は、複数の前記凸部の間に入り込むようにして前記高屈折率層に積層され、前記凸部は、第１凸部と第２凸部とを有し、前記第１方向の一方側を向く前記第１凸部の側面は曲面又は折れ面をなし、前記第１方向の他方側を向く前記第１凸部の側面は、前記第１方向の一方側を向く前記第１凸部の側面とは異なる形状をなし、前記第１方向の他方側を向く前記第２凸部の側面は曲面又は折れ面をなし、前記第１方向の一方側を向く前記第２凸部の側面は、前記第１方向の他方側を向く前記第２凸部の側面とは異なる形状をなし、前記第１方向と前記高屈折率層及び前記低屈折率層の法線方向とを含む面における断面で見た際、前記第１凸部と前記第２凸部は、前記高屈折率層及び前記低屈折率層の法線方向と平行な軸を対称軸として、線対称になっており、前記高屈折率層が前記表示装置の表示面側に向けられるように配置される、光学構造体である。
【００１２】
本発明に係る光学構造体において、前記第１方向の他方側を向く前記第１凸部の側面、及び、前記第１方向の一方側を向く前記第２凸部の側面は、平面をなしてもよい。
【００１３】
本発明に係る光学構造体において、前記第１方向の他方側を向く前記第１凸部の側面、及び、前記第１方向の一方側を向く前記第２凸部の側面は、曲面又は折れ面をなし、前記第１方向の一方側を向く前記第１凸部の側面が前記高屈折率層及び前記低屈折率層の法線方向となす最大角度と最小角度との差は、前記第１方向の他方側を向く前記第１凸部の側面が前記高屈折率層及び前記低屈折率層の法線方向となす最大角度と最小角度との差よりも大きく、前記第１方向の他方側を向く前記第２凸部の側面が前記高屈折率層及び前記低屈折率層の法線方向となす最大角度と最小角度との差は、前記第１方向の一方側を向く前記第２凸部の側面が前記高屈折率層及び前記低屈折率層の法線方向となす最大角度と最小角度との差よりも大きくてもよい。
【００１４】
本発明に係る光学構造体においては、前記第１方向の一方側を向く前記第１凸部の側面の両端点を結んだ直線及び前記第１方向の他方側を向く前記第２凸部の側面の両端点を結んだ直線が、前記高屈折率層及び前記低屈折率層の法線方向となす各側面の平均斜面角度が、２０度以上３０度以下であり、前記第１方向の他方側を向く前記第１凸部の側面の両端点を結んだ直線及び前記第１方向の一方側を向く前記第２凸部の側面の両端点を結んだ直線が、前記高屈折率層及び前記低屈折率層の法線方向となす各側面の平均斜面角度が、５度以上１５度以下であってもよい。
【００１５】
本発明に係る光学構造体においては、前記第１方向の一方側を向く前記第１凸部の側面が前記高屈折率層及び前記低屈折率層の法線方向となす最大角度と最小角度との差が、１５度以上３５度以下であってもよい。
【００１６】
本発明に係る光学構造体において、前記第１方向の一方側を向く前記第１凸部の側面、及び、前記第１方向の他方側を向く前記第２凸部の側面は、前記低屈折率層側に凸なる曲面又は折れ面をなしてもよい。
【００１７】
本発明に係る光学構造体において、前記第１凸部及び前記第２凸部の先端は、前記第１方向に平行な平面を形成してもよい。
【００１８】
本発明に係る光学構造体において、隣り合う前記凸部の間に入り込んだ前記低屈折率層の先端は、前記第１方向に平行な平面を形成してもよい。
【００１９】
本発明に係る光学構造体において、前記第１凸部及び前記第２凸部は交互に並んでもよい。
【００２０】
また、本発明に係る表示装置は、前記光学構造体が表示面に配置された、表示装置である。
【００２１】
前記表示装置は、前記表示面と、前記表示面に対向して配置された裏面と、を有する液晶パネルと、前記液晶パネルの裏面に対面して配置された面光源装置と、を有してもよい。
【発明の効果】
【００２２】
本発明によれば、表示装置の視野角を拡大させつつ、視野角内の輝度変化や色変化を高角度側に向けて均一的に変化させることで良好な視認性を確保できる。
【図面の簡単な説明】
【００２３】
【図１】本発明の一実施の形態に係る光学構造体を備える表示装置の概略的な断面図である。
【図２】図１に示す表示装置における光の挙動を説明するための表示装置の概略的な断面図である。
【図３】図１に示す表示装置に設けられる光学構造体の拡大断面図である。
【図４】図１に示す光学構造体の高屈折率層と低屈折率層との間の界面の拡大図である。
【図５】図１に示す表示装置に設けられる光学構造体の光学的作用を説明するための図である。
【図６】図１に示す光学構造体を備える表示装置が表示する像の輝度分布と、比較例に係る表示装置が表示する像の輝度分布のシミュレーション結果を示す図である。
【図７】図６に輝度分布のシミュレーション結果を示された比較例に係る表示装置に設けられる光学シートの概略断面図である。
【発明を実施するための形態】
【００２４】
以下、図面を参照しながら本発明の一実施の形態について説明する。
【００２５】
なお、本明細書において、「シート」、「フィルム」、「板」、「層」等の用語は、呼称の違いのみに基づいて、互いから区別されるものではない。したがって、例えば、「シート」はフィルムや板や層とも呼ばれ得るような部材も含む概念である。また、本明細書において「シート面（板面、フィルム面）」とは、対象となるシート状の部材を全体的かつ大局的に見た場合において対象となるシート状部材の平面方向（面方向）と一致する面のことを指す。なお、「シート面（板面、フィルム面）」は、主面と呼ばれる場合もある。さらに、本明細書において、シート状の部材の法線方向とは、対象となるシート状の部材のシート面への法線方向のことを指す。
【００２６】
図１〜図４を参照しつつ、まず、本発明の一実施の形態に係る光学構造体１００を備える表示装置１０の基本的な構成を説明する。図１は、光学構造体１００を備える表示装置１０の概略的な断面図であり、図２は、表示装置１０における光の挙動を説明するための表示装置１０の概略的な断面図である。図３は、光学構造体１００の拡大断面図であり、図４は、光学構造体１００の高屈折率層と低屈折率層との間の界面の拡大図である。なお、上記の各断面図においては、説明の便宜上、ハッチングが省略されている場合がある。また、図１〜図４は、表示装置１０における液晶パネル１５及びシート状の光学構造体１００の各シート面と平行な第１方向ｄ１と、表示装置１０における液晶パネル１５及びシート状の光学構造体１００の法線方向と、を含む面における断面図を示している。なお、本実施の形態では、第１方向ｄ１は、表示装置１０において後述するようにエッジライト型となる面光源装置２０の光源２４が導光板３０に光を出射する方向と平行な方向であり、また光学構造体１００に形成される後述する凸部１２０が並ぶ方向である。
【００２７】
（表示装置）
まず、表示装置１０の全体の構成について説明する。図１に示すように、本実施の形態に係る表示装置１０は、液晶パネル１５と、液晶パネル１５の裏面１５Ｂに対面して配置されて液晶パネル１５を裏面１５Ｂ側から面状に照らす面光源装置２０と、液晶パネル１５の表示面１５Ａ上に配置されるシート状の光学構造体１００と、を備えている。液晶パネル１５は、静止画像又は動画像である像を表示する表示面１５Ａと、表示面１５Ａに対向して配置された裏面１５Ｂと、を有している。表示装置１０では、液晶パネル１５が面光源装置２０からの光の透過または遮断を、画素を形成する領域（サブピクセル）毎に制御するシャッターとして機能し、液晶パネル１５の駆動により表示面１５Ａに像が表示されるようになっている。
【００２８】
図示された液晶パネル１５は、出光側に配置された上偏光板１３と、入光側に配置された下偏光板１４と、上偏光板１３と下偏光板１４との間に配置された液晶層１２と、を有している。偏光板１４，１３は、入射した光を直交する二つの偏光成分（例えばＰ波およびＳ波）に分解し、一方の方向（透過軸と平行な方向）に振動する直線偏光成分（例えば、Ｐ波）を透過させ、前記一方の方向に直交する他方の方向（吸収軸と平行な方向）に振動する直線偏光成分（例えば、Ｓ波）を吸収する機能を有している。
【００２９】
液晶層１２では、一つの画素を形成する領域毎に、電圧印加がなされ得るようになっており、電圧印加の有無によって液晶層１２中の液晶分子の配向方向が変化するようになっている。一例として、入光側に配置された下偏光板１４を透過した特定方向の偏光成分は、電圧が印加されていない液晶層１２を通過する際にその偏光方向を９０°回転させ、その一方で、電圧が印加された液晶層１２を通過する際にその偏光方向を維持する。この場合、液晶層１２への電圧印加の有無によって、下偏光板１４を透過した特定方向に振動する偏光成分が、下偏光板１４の出光側に配置された上偏光板１３をさらに透過するか、あるいは、上偏光板１３で吸収されて遮断されるか、を制御することができる。このようにして液晶パネル１５では、面光源装置２０からの光の透過または遮断を、画素を形成する領域毎に制御し得るようになっている。
【００３０】
本実施の形態においては、液晶パネル１５が、一例としてＶＡ（Ｖｅｒｔｉｃａｌ Ａｌｉｇｎｍｅｎｔ）型液晶パネルとなっている。したがって、液晶パネル１５は、液晶層１２内の液晶分子に対する電圧がオフまたは最小値のときに前記液晶分子が表示面１５Ａの法線方向に沿って配向して面光源装置２０からの光が遮断される状態となり、前記液晶分子に対する電圧を徐々に増加させて前記液晶分子を表示面１５Ａに沿う側に次第に傾斜させることにより、面光源装置２０からの光の透過率を徐々に増加させる構成を有する。なお、液晶パネル１５は、ＶＡ型に限られるものでなく、ＴＮ（Ｔｗｉｓｔｅｄ Ｎｅｍａｔｉｃ）型液晶パネルであってもよいし、ＩＰＳ（Ｉｎ−Ｐｌａｎｅ Ｓｗｉｔｃｈｉｎｇ）型液晶パネルであってもよい。液晶パネル１５の詳細については、種々の公知文献（例えば、「フラットパネルディスプレイ大辞典（内田龍男、内池平樹監修）」２００１年工業調査会発行）に記載されており、ここではこれ以上の詳細な説明を省略する。
【００３１】
次に面光源装置２０について説明する。面光源装置２０は、面状に光を発光する発光面２１を有しており、本実施の形態では、液晶パネル１５を裏面１５Ｂ側から照明する装置として用いられている。図１に示すように、面光源装置２０は、一例としてエッジライト型の面光源装置として構成され、導光板３０と、導光板３０の一方の側（図１に於いては左側）の側方に配置された光源２４と、導光板３０にそれぞれ対面するようにして配置された光学シート（プリズムシート）６０および反射シート２８と、を有している。図示された例では、光学シート６０が、液晶パネル１５に直面して配置されている。そして光学シート６０の出光面６１によって、面光源装置２０の発光面２１が画成されている。
【００３２】
図示の例では、導光板３０の出光面３１が、液晶パネル１５の表示面１５Ａおよび面光源装置２０の発光面２１と同様に、平面視形状（上方から見下ろして見た形状）が四角形形状に形成されている。この結果、導光板３０は、全体的に、一対の主面（出光面３１および裏面３２）を有する相対的に厚み方向の辺が他の辺よりも小さい直方体状の部材として構成されており、一対の主面間に画成される側面は四つの面を含んでいる。同様に、光学シート６０および反射シート２８は、全体的に、相対的に厚み方向の辺が他の辺よりも小さい直方体状の部材として構成されている。
【００３３】
図１および図２に示すように、導光板３０は、液晶パネル１５側の一方の主面によって構成された上述した出光面３１と、出光面３１に対向するもう一方の主面からなる裏面３２と、出光面３１および裏面３２の間を延びる側面と、を有し、側面のうちの第１方向ｄ１に対向する二つの面のうちの一方の側面が、入光面３３をなしている。そして図１および図２に示すように、入光面３３に対面して光源２４が設けられている。入光面３３から導光板３０内に入射した光は、図２に示すように、第１方向（導光方向）ｄ１に沿って入光面３３に対向する反対面３４に向けて、概ね第１方向（導光方向）ｄ１に沿って導光板３０内を導光されるようになる。ここで、本実施の形態に係る表示装置１０は、第１方向ｄ１が水平方向すなわち左右方向に沿うように配置されることを想定されたものであり、この場合、光源２４からの光は左右方向に導光されることになる。しかしながら、このような配置は特に限られるものではなく、表示装置は他の態様で配置されてもよい。また、本実施の形態では、面光源装置２０がエッジライト型であるが、面光源装置２０は、直下型や裏面照射型などの他の形式であってもよい。
【００３４】
導光板３０についてさらに詳述すると、本実施の形態では、導光板３０の裏面３２が凹凸面として形成されている。具体的な構成として、図２に示すように、裏面３２が、傾斜面３７と、導光板３０の法線方向に延びる段差面３８と、導光板３０の板面方向に延びる接続面３９と、を有している。導光板３０内での導光は、導光板３０の一対の主面３１，３２での全反射作用によってなされる。その一方で、傾斜面３７は、入光面３３側から反対面３４側へ向かうにつれて出光面３１に接近するよう、導光板３０の板面に対して傾斜している。したがって、傾斜面３７で反射した光については、一対の主面３１，３２に入射する際の入射角度は小さくなる。そして傾斜面３７で反射することにより、一対の主面３１，３２への入射角度が全反射臨界角度未満になると、図２のＬ１に示すように、光は、導光板３０から出射するようになる。すなわち、傾斜面３７は、導光板３０から光を取り出すための要素として機能する。なお、導光板３０は、本実施の形態における態様に限られるものではなく、例えばドットパターン方式等の他の態様であってもよい。
【００３５】
また光源２４は、例えば、線状の冷陰極管等の蛍光灯や、点状のＬＥＤ（発光ダイオード）や白熱電球等の種々の態様で構成され得る。本実施の形態における光源２４は、入光面３３の長手方向に沿って並べて配置された多数の点状発光体２５、具体的には、多数の発光ダイオード（ＬＥＤ）によって、構成されている。
【００３６】
また反射シート２８は、導光板３０の裏面３２に対面するようにして配置される部材であって、導光板３０の裏面３２から漏れ出した光を反射して、再び導光板３０内に入射させるための部材である。反射シート２８は、白色の散乱反射シート、金属等の高い反射率を有する材料からなるシート、高い反射率を有する材料からなる薄膜（例えば金属薄膜や誘電体多層膜）を表面層として含んだシート等から、構成され得る。反射シート２８での反射は、正反射（鏡面反射）でもよく、拡散反射でもよい。反射シート２８での反射が拡散反射の場合には、当該拡散反射は、等方性拡散反射であってもよいし、異方性拡散反射であってもよい。
【００３７】
また光学シート６０は、透過光の進行方向を変化させる機能を有した部材である。図２に示すように、本例に係る光学シート６０は、板状に形成された本体部６５と、本体部６５の入光側面６７上に形成された複数の単位プリズム（単位形状要素、単位光学要素、単位レンズ）７０と、を有している。本体部６５は、一対の平行な主面を有する平板状の部材として構成されている。図示の例においては、単位プリズム７０が本体部６５の入光側面６７上に並べて配置されており、各単位プリズム７０は柱状に形成され、その配列方向と交差する方向に延びている。なお、本実施の形態では、一つの光学シート６０が導光板３０上に設けられるが、導光板３０上には、複数の光学シートが設けられもよい。この場合、各光学シートのプリズムの溝の向きは、互いに異なっていてもよい。
【００３８】
以上のような面光源装置２０は、光学シート６０を備えることにより、導光板３０からの光を所望の進行方向に変換して液晶パネル１５に入射させるようになっている。具体的に光学シート６０は、液晶パネル１５に入射させる光の大部分が面光源装置２０の法線方向と平行になるように光を出射させるようになっている。これにより、本実施の形態における面光源装置２０は、いわゆる平行光バックライトとして構成される。そして液晶パネル１５に入射した光は、上述したように、電圧印加に応じて液晶層１２において透過または遮断を画素の形成領域毎に制御され、これにより、液晶パネル１５の表示面１５Ａに像が表示されることになる。そして、表示面１５Ａに表示される像は光学構造体１００を介して視認されることになる。
【００３９】
（光学構造体）
次に図２〜図４を参照しつつ光学構造体１００について詳しく説明する。図２および図３に示すように、本実施の形態に係る光学構造体１００は、表面１０１Ａと表面１０１Ａに対向して配置された裏面１０１Ｂとを有するシート状またはフィルム状の基材１０１と、基材１０１の表面１０１Ａ上に設けられるとともに基材１０１に沿って延びるシート状またはフィルム状に形成され、厚さ方向に対向する一対の主面を有する高屈折率層１０２と、高屈折率層１０２の基材１０１側とは反対側の面上に設けられるとともに基材１０１に沿って延びるシート状またはフィルム状に形成され、厚さ方向に対向する一対の主面を有し、且つ屈折率が高屈折率層１０２よりも低い低屈折率層１０３と、低屈折率層１０３の高屈折率層１０２側とは反対の側に配置されたシート状またはフィルム状の表面材１０４と、を備えている。本実施の形態における表面材１０４は、光（像）の出射側の最表面を形成するが、表面材１０４上にさらに保護フィルムなどが積層されてもよい。
【００４０】
基材１０１は、樹脂やガラス等からなる光透過性を有する透明基材であり、その材質としては、例えば、ポリエチレンテレフタレート、ポリオリフィン、ポリカーボネート、ポリアクリレート、ポリアミド、ガラス、トリアセチルセルロースなどが挙げられる。光学構造体１００は、図２に示すように、高屈折率層１０２が表示装置１０の表示面１５Ａ側に向けられるように配置され、図示の例では、基材１０１の裏面１０１Ｂが粘着材層１０５を介して液晶パネル１５、すなわち液晶パネル１５の表示面１５Ａに接合されており、これにより光学構造体１００が表示装置１０に組み込まれている。
【００４１】
図３は正確に言うと、液晶パネル１５に接合される前の光学構造体１００を示している。図３に示すように本実施の形態に係る光学構造体１００では、液晶パネル１５に接合される前の状態において、粘着材層１０５が基材１０１に接合しつつ、基材１０１側とは反対側の面に剥離フィルム１０６を設けられている。
【００４２】
また表面材１０４は、光学構造体１００において液晶パネル１５の表示面１５Ａ側とは反対の側における最表面を形成している。表面材１０４は、一例として、光学構造体１００へ入射する外光の表面反射を抑制するために設けられており、これにより、外光の表面反射によって表示装置１０に表示される像の視認性が損なわれることが抑制される。具体的に表面材１０４は、その屈折率を低屈折率層１０３の屈折率よりも低く設定されることで外光の反射防止層として機能する。なお、本実施の形態における表面材１０４は反射防止層として機能するが、単なる保護層、例えば耐傷つき防止や、防汚のために設けられるものであってもよいし、帯電防止のために設けられるものであってもよい。また、表面材１０４は設けられなくてよく、この場合、低屈折率層１０３が光学構造体１００の最表面を形成してもよい。
【００４３】
本実施の形態では上述のような基材１０１と表面材１０４との間に高屈折率層１０２及び低屈折率層１０３が設けられる。高屈折率層１０２は、シート状の高屈折率層１０２及び低屈折率層１０３の主面に平行な第１方向ｄ１に並び、低屈折率層１０３側に凸となる複数の凸部１２０を有しており、低屈折率層１０３は、複数の凸部１２０の間に入り込むようにして高屈折率層１０２に積層されている。凸部１２０は、第１方向ｄ１と非平行、具体的には第１方向ｄ１に直交する第２方向ｄ２に沿って線状に延び、凸部１２０の間に入り込んだ低屈折率層１０３の進入部分も第２方向ｄ２に沿って線状に延びる状態になっている。また、本実施の形態における高屈折率層１０２は、詳しくは、上述の複数の凸部１２０と、一対の平坦面を対向させた平坦フィルム状に形成されるとともに一方の平坦面で凸部１２０と一体とされ且つ凸部１２０を支持するベース部１２０Ｂと、を有する。本実施の形態では、低屈折率層１０３も、高屈折率層１０２と同様に、平坦フィルム状のベース部の一方の平坦面で凸部１２０の間に入り込んだ進入部分を支持するようになっている。
【００４４】
なお、上述した「高屈折率層１０２及び低屈折率層１０３の主面に平行」という状態は、本実施の形態では、高屈折率層１０２及び低屈折率層１０３それぞれの平坦な一方の主面（凸部１２０及び進入部分が設けられない側の主面）に平行に延びる状態であって、且つ、高屈折率層１０２の凸部１２０及び低屈折率層１０３の進入部分が並ぶ方向及び線状に延びる方向を含む平面である高屈折率層１０２及び低屈折率層１０３それぞれの他方の主面に平行に延びる状態のことを意味する。
【００４５】
図４も参照しつつ凸部１２０について詳述すると、本実施の形態における凸部１２０は、第１凸部１２１と第２凸部１２２とを有しており、第１方向ｄ１と高屈折率層１０２及び低屈折率層１０３の法線方向ｄ３とを含む面における断面（図３及び図４に示す断面）で見た際、第１凸部１２１と第２凸部１２２は、法線方向ｄ３と平行な軸を対称軸（例えば、図４におけるｎ１やｎ２）として、線対称になっている。
【００４６】
詳しくは、第１方向ｄ１の一方側（図３、４の左側）を向く第１凸部１２１の側面１２１Ａが曲面をなし、第１方向ｄ１の他方側（図３、４の右側）を向く第１凸部１２１の側面１２１Ｂが、側面１２１Ａとは異なる形状であって、具体的には平面をなしている。一方で第２凸部１２２では、第１方向ｄ１の他方側を向く側面１２２Ｂが曲面をなし、第１方向ｄ１の一方側を向く側面１２２Ａが、側面１２２Ｂとは異なる形状であって、具体的には平面をなしている。そして図４に示すように、曲面をなす第１凸部１２１の側面１２１Ａと第２凸部１２２の側面１２２Ｂとが法線方向ｄ３と平行な軸を対称軸として線対称になっており、平面をなす第１凸部１２１の側面１２１Ｂと第２凸部１２２の側面１２２Ａとが法線方向ｄ３と平行な軸を対称軸として線対称になっている。
【００４７】
なお、本実施の形態においては第１凸部１２１及び第２凸部１２２が第１方向ｄ１に交互に並ぶが、第１凸部１２１及び第２凸部１２２の配列はこの態様に限られるものではなく、第１凸部１２１及び第２凸部１２２はランダムに並んでいてもよい。また、本実施の形態においては、曲面をなす第１凸部１２１の側面１２１Ａ及び第２凸部１２２の側面１２２Ｂが低屈折率層１０３側に凸なる曲面となっているが、低屈折率層１０３側とは反対の側に凹になる曲面であってもよい。また、曲面として形成される側面の形状は特に限られるものではなく、正円の円弧に沿って形成されるものでもよいし、楕円の円弧に沿って形成されるものでもよいし、二次関数や三次関数等によって規定されるものでもよい。
【００４８】
ところで、図４においては、第１方向ｄ１の一方側を向く第１凸部１２１の側面１２１Ａの両端点を結んだ直線が法線方向ｄ３となす角度を、平均斜面角度θ１Ａとして示し、第１方向ｄ１の他方側を向く第２凸部１２２の側面１２２Ｂの両端点を結んだ直線が法線方向ｄ３となす角度を、平均斜面角度θ２Ｂとして示している。また、第１方向ｄ１の他方側を向く第１凸部１２１の側面１２１Ｂの両端点を結んだ直線が法線方向ｄ３となす角度を、平均斜面角度θ１Ｂとして示し、第１方向ｄ１の一方側を向く第２凸部１２２の側面１２２Ａの両端点を結んだ直線が法線方向ｄ３となす角度を、平均斜面角度θ２Ａとして示している。ここで、本実施の形態では、平均斜面角度θ１Ａ＝平均斜面角度θ２Ｂ、平均斜面角度θ１Ｂ＝平均斜面角度θ２Ａ、平均斜面角度θ１Ａ＞平均斜面角度θ１Ｂ、及び、平均斜面角度θ２Ｂ＞平均斜面角度θ２Ａの関係が成り立っている。なお、厳密に言うと、平均斜面角度は、凸部１２０の側面の両端点を結んだ直線が法線方向ｄ３となす角度のうちの小さい方の角度のことである。
【００４９】
第１凸部１２１の側面１２１Ａの平均斜面角度θ１Ａ及び第２凸部１２２の側面１２２Ｂの平均斜面角度θ２Ｂは、２０度以上３０度以下であることが好ましく、本実施の形態では一例として２１．８度になっている。また、第１凸部１２１の側面１２１Ｂの平均斜面角度θ１Ｂ及び第２凸部１２２の側面１２２Ａの平均斜面角度θ２Ａは、５度以上１５度以下であることが好ましく、本実施の形態では一例として９．０度になっている。
【００５０】
また、図４においては第１方向ｄ１の一方側を向く第１凸部１２１の側面１２１Ａが法線方向ｄ３となす最大角度θＣと最小角度θＤが示され、本実施の形態では、これら最大角度θＣと最小角度θＤとの差を「斜面角度範囲」と定義する。最大角度θＣは、側面１２１Ａの先端、言い換えると凸部１２０の先端側の側面１２１Ａの端点を通る側面１２１Ａの接線が法線方向ｄ３となす角度であり、最小角度θＤは、側面１２１Ａの基端、言い換えると凸部１２０の基端側の側面１２１Ａの端点を通る側面１２１Ａの接線が法線方向ｄ３となす角度である。第１凸部１２１の側面１２１Ａに関する斜面角度範囲は５度以上５５度以下であることが好ましく、本実施の形態では一例としてθＣ＝３２．２°度、θＤ＝９．９°になっている。同様に、第２凸部１２２の側面１２２Ｂに関する斜面角度範囲も５度以上５５度以下であることが好ましく、本実施の形態では一例としてθＣ＝３２．２°度、θＤ＝９．９°になっている。なお、厳密に言うと、上記最大角度及び最小角度は、平均斜面角度と同様に、側面に関する接線が法線方向ｄ３となす角度のうちの小さい方の角度のことである。
【００５１】
なお、本実施の形態においては、線対称の関係となる第１凸部１２１の側面１２１Ａ及び第２凸部１２２の側面１２２Ｂが曲面をなすが、これらは折れ面、特に３つ以上の要素面を含む折れ面を形成してもよい。第１凸部１２１の側面１２１Ａが折れ面である場合、上述の最大角度θＣは、側面１２１Ａにおける先端を含む要素面を通る直線が法線方向ｄ３となす角度となり、最小角度θＤは、側面１２１Ａにおける基端を含む要素面を通る直線が法線方向ｄ３となす角度となる。
【００５２】
また、本実施の形態においては、第１方向ｄ１の他方側を向く第１凸部１２１の側面１２１Ｂ、及び、第１方向ｄ１の一方側を向く第２凸部１２２の側面１２２Ａが平面をなすが、これら側面１２１Ｂ、１２２Ａは曲面又は折れ面をなしていてもよい。この場合、第１方向ｄ１の一方側を向く第１凸部１２１の側面１２１Ａ、及び、第１方向ｄ１の他方側を向く第２凸部１２２の側面１２２Ｂの斜面角度範囲は、それぞれの反対側で曲面又は折れ面をなす側面１２１Ｂ、１２２Ａの斜面角度範囲よりも大きい値に設定される。
【００５３】
また図４に示すように、本実施の形態における第１凸部１２１の先端１２１Ｃは第１方向ｄ１に平行な平面を形成し、第２凸部１２２の先端１２２Ｃは第１方向ｄ１に平行な平面を形成している。また、隣り合う凸部１２０の間、すなわち第１凸部１２１と第２凸部１２２との間に入り込んだ低屈折率層１０３の先端も第１方向ｄ１に平行な平面を形成している。なお、先端１２１Ｃ及び先端１２２Ｃは平面でなくてもよいし、また、第１方向ｄ１に対して傾斜する平面をなしていてもよい。
【００５４】
以上のような高屈折率層１０２及び低屈折率層１０３は、表示面１５Ａから出射される像を表示するための光に対して反射や屈折、および透過等の光学的作用を及ぼすことにより、表示面１５Ａ上に表示される像の表示品質を向上させるために設けられている。より具体的に説明すると、第１凸部１２１において曲面をなす側面１２１Ａ及び第２凸部１２２において曲面をなす側面１２２Ｂは、表示面１５Ａから出射される法線方向ｄ３に平行な光を曲面の全域で反射及び屈折させることにより、光を法線方向ｄ３に対して低角度側から高角度側にわたる広い範囲に拡散させることができる。一方で、曲面をなす側面１２１Ａ及び側面１２２Ｂでは、凸部１２０の先端側から基端側に向けた或る位置以降から、法線方向ｄ３に平行な光と側面１２１Ａ及び側面１２２Ｂとがなす角度が全反射臨界角よりも大きくなる関係となり、光が全反射されるようになる。この際、全反射された光は或る角度範囲、本実施の形態では高角度側に集まることで、高角度側に拡散される光の強度は高めることができるものの、この高角度側とは異なる角度範囲、具体的には低角度側においては全反射された光は集まらず、その結果、高角度側の角度範囲と、これよりも低角度側の角度範囲との間で光の強度に差が生じて、視認性が損なわれる状況が生じ得る。これに対し、本実施の形態では、第１凸部１２１において平面をなす側面１２１Ｂ及び第２凸部１２２において平面をなす側面１２２Ａが、曲面をなす側面１２１Ａ及び側面１２２Ｂによって全反射される光の進む角度範囲よりも低角度側の角度範囲に光を全反射させて上述の光の強度の差を補償するように、その平均傾斜角度θ１Ｂ，θ２Ａを設定される。これにより、高屈折率層１０２及び低屈折率層１０３は、正面視方向から高角度側にわたる広視野角内における光の分布を正規分布に近づけるようにし、広視野角における表示品質の向上を図るようになっている。
【００５５】
以下では、本実施の形態の表示装置１０における光の挙動を図２及び図５を参照しつつ説明する。本実施の形態の表示装置１０において像を表示する場合には、まず光源２４から光が照射される。これにより入光面３３から導光板３０内に入射した光が、図２に示すように、第１方向ｄ１に沿って入光面３３に対向する反対面３４に向けて、概ね第１方向ｄ１に沿って導光板３０内を導光される。導光された光は、導光板３０の主面３１，３２の間で全反射を繰り返し、主面３１への入射角度が全反射臨界角度未満になると、図２のＬ１に示すように、導光板３０から光が出射される。導光板３０から出射された光は、光学シート６０を通過する際に単位プリズム７０によって、所望の進行方向に変換されて液晶パネル１５に入射する。次いで液晶パネル１５に入射した光は、電圧印加に応じて液晶層１２において透過または遮断を画素の形成領域毎に制御され、これにより液晶パネル１５の表示面１５Ａに像が表示されることになる。
【００５６】
そして本実施の形態においては、液晶パネル１５の表示面１５Ａから出射された光が、光学構造体１００に入射する。このとき、液晶パネル１５側から光学構造体１００に入射する光は、上述したように高屈折率層１０２及び低屈折率層１０３によって反射及び透過（屈折）による光学的作用を付与される。すなわち、第１凸部１２１において曲面をなす側面１２１Ａ及び第２凸部１２２において曲面をなす側面１２２Ｂは、表示面１５Ａから出射される法線方向ｄ３に平行な光を曲面の全域で反射及び屈折させることにより、法線方向ｄ３に対して低角度度側から高角度側にわたる広い範囲に拡散させる。
【００５７】
ここで、曲面をなす側面１２１Ａ及び側面１２２Ｂでは、上述したように凸部１２０の先端側から基端側に向けた或る位置以降から、法線方向ｄ３に平行な光と側面１２１Ａ及び側面１２２Ｂとがなす角度が全反射臨界角よりも大きくなる関係となり、光が全反射されるようになる。図５においては、二点鎖線で囲んだ領域Ａにおける光の束が、曲面をなす側面１２１Ａ及び側面１２２Ｂによって全反射された光の束に対応する。本実施の形態では、曲面をなす側面１２１Ａ及び側面１２２Ｂが光を上述のように全反射させることで光が高角度側に集まり、その結果、高角度側に拡散される光の強度を高めることができるものの、低角度側においては全反射された光は集まらず、その結果、高角度側の角度範囲と、これよりも低角度側の角度範囲との間で光の強度に差が生じ得る。すなわち、図５における領域Ａよりも低角度側の角度範囲においては、全反射された光は集まらないため、当該範囲における光の強度は、領域Ａ側における光の強度よりも小さくなり得る。そのため、曲面をなす側面１２１Ａ及び側面１２２Ｂのみの光学的作用では、低角度側から像を視認した際の輝度が不所望に低くなったり、高角度側から視認した際の像の輝度が、低角度側から像を視認した際の輝度よりも高くなったりすることにより、視認性が損なわれる状況が生じ得る。
【００５８】
しかしながら、本実施の形態では第１凸部１２１において平面をなす側面１２１Ｂ及び第２凸部１２２において平面をなす側面１２２Ａが、曲面をなす側面１２１Ａ及び側面１２２Ｂによって全反射された光の進む角度範囲よりも低角度側の角度範囲に光を全反射させるようになっている。図５においては、第１凸部１２１において平面をなす側面１２１Ｂ及び第２凸部１２２において平面をなす側面１２２Ａが全反射させた光の束が、二点鎖線で囲んだ領域Ｂによって示されている。図５から明らかなように、第１凸部１２１において曲面をなす側面１２１Ａが全反射させた光が集まる領域Ａ側よりも光の強度が小さくなり得る低角度側の角度範囲には、第２凸部１２２において平面をなす側面１２２Ａによって全反射された光が進む。一方、第２凸部１２２において曲面をなす側面１２２Ｂが全反射させた光が集まる領域Ａ側よりも光強度が小さくなり得る低角度側の角度範囲には、第１凸部１２１において平面をなす側面１２１Ｂによって全反射された光が進む。これにより、表示面１５Ａからの光が広範囲に拡散され、且つ正面視から高角度側に向けて変化する光の強度が均一的に変化するようになる。
【００５９】
したがって、本実施の形態によれば、視野角を拡大させつつ、視野角内の輝度変化や色変化を高角度側に向けて均一的に変化させることで良好な視認性を確保できる。
【００６０】
なお、本実施の形態では高屈折率層１０２の屈折率が一例として１．６５となっており、低屈折率層１０３の屈折率が一例として１．４８となっている。また、図４を参照し、第１凸部１２１の側面１２１Ａの平均斜面角度θ１Ａ及び第２凸部１２２の側面１２２Ｂの平均斜面角度θ２Ｂは、一例として２１．８度になっている。また、第１凸部１２１の側面１２１Ｂの平均斜面角度θ１Ｂ及び第２凸部１２２の側面１２２Ａの平均斜面角度θ２Ａは、一例として９．０度になっている。さらに、第１凸部１２１の側面１２１Ａに関する斜面角度範囲及び第２凸部１２２の側面１２２Ｂに関する斜面角度範囲は、一例としてθＤ＝９．９°、θＣ＝３２．２°度になっている。このような条件である場合、正面視方向から正面視方向に対する角度が７５度程度になる範囲まで、正面視方向に対する輝度を大幅に低下させることなく、輝度変化を均一的に変化させることができ、広視野角における良好な視認性を確保できる。
【００６１】
なお、上述したが、第１凸部１２１の側面１２１Ａの平均斜面角度θ１Ａ及び第２凸部１２２の側面１２２Ｂの平均斜面角度θ２Ｂは、２０度以上３０度以下であることが好ましく、第１凸部１２１の側面１２１Ｂの平均斜面角度θ１Ｂ及び第２凸部１２２の側面１２２Ａの平均斜面角度θ２Ａは、５度以上１５度以下であることが好ましい。また、第１凸部１２１の側面１２１Ａに関する斜面角度範囲及び第２凸部１２２の側面１２２Ｂに関する斜面角度範囲も５度以上５５度以下であることが好ましい。このような角度範囲が前提であるとき、高屈折率層１０２の屈折率は１．６０以上１．６７以下であることが好ましく、低屈折率層１０３の屈折率層は１．４６以上１．５０以下であることが好ましい。この場合、広視野角において良好な視認性を確保できることを本件発明者は確認している。
【００６２】
ここで、図６は、本実施の形態に係る光学構造体１００を備える表示装置１０が表示する像の輝度分布と、比較例に係る表示装置が表示する像の輝度分布のシミュレーション結果を示す図である。図７は、図６に輝度分布のシミュレーション結果を示された比較例に係る表示装置に設けられる光学シートの概略断面図である。比較例に係る表示装置に設けられる光学シートは、本実施の形態に係る光学構造体１００の高屈折率層１０２及び低屈折率層１０３に代えて、図７に示す高屈折率層２０２及び低屈折率層２０３が設けられている。高屈折率層２０２における凸部２２０の側面は、図中において左右対称をなし、低屈折率層２０３側に凸なる曲面をなしている。
【００６３】
図６においては、横軸が、正面視方向に対して傾斜した角度を示し、縦軸が、正面視方向で像を視認した際の輝度に対する正面視方向に対して傾斜した方向で像を視認した際の輝度の割合（規格化輝度）を示している。図６に示すシミュレーションでは、実線で示す正規分布に従って液晶パネル１５の表示面１５Ａから出射する光が、光学構造体１００を介して出射された際の輝度分布及び比較例に係る光学シートを介して出射された際の輝度分布が演算されている。このように正規分布に従って表示面１５Ａから出射する光を、以下、基準光と称す。基準光は、正面視方向に対して±３０度傾斜した角度で視認された際の輝度が、正面視方向の輝度に対して１０％となる標準偏差１３．９８の正規分布をなしている。また、一点鎖線が本実施の形態に係るシミュレーション結果を示し、二点鎖線が、比較例に係るシミュレーション結果を示している。
【００６４】
比較例に係る光学シートでは、高屈折率層２０２における曲面をなす凸部２２０の側面で全反射された光が、高角度側に光を集約させて拡散できるものの、低角度側には全反射された光が集約されないため、図６の±角度３０度の近傍における輝度が落ち込んでおり、±角度６０度の近傍における輝度が、±角度３０度の近傍における輝度よりも上昇している。このような場合、正面視方向から高角度側に向けて像を視認した際に、像が急激に暗くなった後、明るくなるように感知されることで、視認性が損なわれ得る。これに対して、本実施の形態に係るシミュレーション結果では、図６の±角度３０度の近傍から±角度６０度の近傍にかけて、輝度が緩やかに均一的に下がっている。そのため、正面視方向から高角度側に向けて像を視認した際に、像が徐々に暗くなるように感知され、視認者に違和感を与えることがない。
【００６５】
図６に示したようなシミュレーション結果からも、本実施の形態によれば、視野角を拡大させつつ、視野角内の輝度変化や色変化を高角度側に向けて均一的に変化させることで良好な視認性を確保できることを確認できる。
【００６６】
以上、本発明の実施の形態を説明したが、本発明は、上述の実施の形態に限られるものではなく、これら実施の形態に対してはさらに変更を加えることが可能である。例えば、上述の実施の形態では、面光源装置２０がエッジライト型である例が示されたが、面光源装置２０は、直下型であってもよい。
【符号の説明】
【００６７】
１０…表示装置、１２…液晶層、１３…上偏光板、１４…下偏光板、１５…液晶パネル、１５Ａ…表示面、１５Ｂ…裏面、２０…面光源装置、２１…発光面、２４…光源、２５…点状発光体、２８…反射シート、３０…導光板、３１…出光面、３２…裏面、３３…入光面、３４…反対面、３７…傾斜面、３８…段差面、３９…接続面、６０…光学シート、６１…出光面、６５…本体部、６７…入光側面、７０…単位プリズム、１００…光学構造体、１０１…基材、１０１Ａ…表面、１０１Ｂ…裏面、１０２…高屈折率層、１０３…低屈折率層、１０４…表面材、１０５…粘着材層、１０６…剥離フィルム、１２０…凸部、１２０Ｂ…ベース部、１２１…第１凸部、１２１Ａ…第１凸部の一方側の側面、１２１Ｂ…第１凸部の他方側の側面、１２２…第２凸部、１２２Ａ…第２凸部の一方側の側面、１２２Ｂ…第２凸部の他方側の側面
【図１】
2020013067.tif 000003
【図２】
2020013067.tif 000004
【図３】
2020013067.tif 000005
【図４】
2020013067.tif 000006
【図５】
2020013067.tif 000007
【図６】
2020013067.tif 000008
【図７】
2020013067.tif 000009